(57)【要約】  【課題】開閉体の損傷を適切に防止できる開閉装置を提供する。  【解決手段】開閉装置１は、挿入部６を側端部に有し開口部２を開閉する昇降可能なスクリーン体７を備える、開閉装置１は、スクリーン体７の挿入部６にこの挿入部６に沿って設けた長手状の抜止めワイヤ11を備える。開閉装置１は、抜止めワイヤ11との係合により挿入部６の抜出しを防止する係合受け部を有する案内体を備える。  【選択図】図２
2005126984.tif 000002
【特許請求の範囲】
【請求項１】
挿入部を側端部に有し、開口部を開閉する開閉体と、
この開閉体の前記挿入部にこの挿入部に沿って設けられた長手状の抜止め体と、
この抜止め体との係合により前記挿入部の抜出しを防止する係合受け部を有し、前記挿入部が挿入された状態で前記開閉体を案内する案内体と
を備えることを特徴とする開閉装置。
【請求項２】
回転可能な巻体と、
この巻体に巻戻し自在に巻き取られ、挿入部を側端部に有し、前記巻体の回転に応じて開口部に沿って移動してこの開口部を開閉する開閉体と、
この開閉体の前記挿入部にこの挿入部に沿って設けられ、前記巻体に前記挿入部とともに巻戻し自在に巻き取られる長手状の抜止め体と、
この抜止め体との係合により前記挿入部の抜出しを防止する係合受け部を有し、前記挿入部が挿入された状態で前記開閉体を案内する案内体と
を備えることを特徴とする開閉装置。
【請求項３】
開閉体の挿入部は、袋状部分を有し、
抜止め体は、前記袋状部分内にその抜止め体の略全体が覆われるように収容されている
ことを特徴とする請求項１または２記載の開閉装置。
【請求項４】
開閉体の挿入部は、複数の貫通孔を有し、
抜止め体は、前記複数の貫通孔を通って前記開閉体の一面側および他面側に交互に位置するように配設されている
ことを特徴とする請求項１または２記載の開閉装置。
【発明の詳細な説明】
【技術分野】
【０００１】
本発明は、開閉体の損傷を適切に防止できる開閉装置に関するものである。
【背景技術】
【０００２】
従来、例えば挿入部を左右の両側端部に有し開口部を開閉する昇降可能な開閉体と、開閉体の挿入部に互いに間隔をおいて並設された複数の抜止めボルトと、抜止めボルトとの係合により挿入部の抜出しを防止する係合受け部を有し挿入部が挿入された状態で開閉体を案内する案内体とを備えた耐火スクリーン装置等の開閉装置が知られている（例えば、特許文献１参照）。
【特許文献１】特開平１１−１３１９４４号公報
【発明の開示】
【発明が解決しようとする課題】
【０００３】
しかしながら、上記従来の開閉装置では、抜止めボルトが案内体の係合受け部と係合した際に開閉体に対して無理な力が局部的に作用し、開閉体の損傷を招くおそれがある。
【０００４】
本発明は、このような点に鑑みなされたもので、開閉体の損傷を適切に防止できる開閉装置を提供することを目的とする。
【課題を解決するための手段】
【０００５】
請求項１記載の開閉装置は、挿入部を側端部に有し、開口部を開閉する開閉体と、この開閉体の前記挿入部にこの挿入部に沿って設けられた長手状の抜止め体と、この抜止め体との係合により前記挿入部の抜出しを防止する係合受け部を有し、前記挿入部が挿入された状態で前記開閉体を案内する案内体とを備えるものである。
【０００６】
そして、長手状の抜止め体が案内体の係合受け部と係合した際に開閉体に対して無理な力が局部的に作用するようなことがなく、開閉体の損傷を適切に防止することが可能となる。
【０００７】
請求項２記載の開閉装置は、回転可能な巻体と、この巻体に巻戻し自在に巻き取られ、挿入部を側端部に有し、前記巻体の回転に応じて開口部に沿って移動してこの開口部を開閉する開閉体と、この開閉体の前記挿入部にこの挿入部に沿って設けられ、前記巻体に前記挿入部とともに巻戻し自在に巻き取られる長手状の抜止め体と、この抜止め体との係合により前記挿入部の抜出しを防止する係合受け部を有し、前記挿入部が挿入された状態で前記開閉体を案内する案内体とを備えるものである。
【０００８】
そして、長手状の抜止め体が案内体の係合受け部と係合した際に開閉体に対して無理な力が局部的に作用するようなことがなく、開閉体の損傷を適切に防止することが可能となり、しかも、巻体による巻取りの際に抜止め体にて開閉体を損傷することがなく、開閉体の巻き形状の安定化も図られる。
【０００９】
請求項３記載の開閉装置は、請求項１または２記載の開閉装置において、開閉体の挿入部は、袋状部分を有し、抜止め体は、前記袋状部分内にその抜止め体の略全体が覆われるように収容されているものである。
【００１０】
そして、抜止め体を開閉体の挿入部の袋状部分内にその抜止め体の略全体が覆われるように収容したため、抜止め体の保護が図られる。
【００１１】
請求項４記載の開閉装置は、請求項１または２記載の開閉装置において、開閉体の挿入部は、複数の貫通孔を有し、抜止め体は、前記複数の貫通孔を通って前記開閉体の一面側および他面側に交互に位置するように配設されているものである。
【００１２】
そして、抜止め体を開閉体の挿入部の貫通孔に通すことにより抜止め体を開閉体の挿入部に沿って容易に設けることが可能である。
【発明の効果】
【００１３】
請求項１記載の開閉装置によれば、長手状の抜止め体が案内体の係合受け部と係合した際に開閉体に対して無理な力が局部的に作用するようなことがなく、開閉体の損傷を適切に防止できる。
【００１４】
請求項２記載の開閉装置によれば、長手状の抜止め体が案内体の係合受け部と係合した際に開閉体に対して無理な力が局部的に作用するようなことがなく、開閉体の損傷を適切に防止でき、しかも、巻体による巻取りの際に抜止め体にて開閉体を損傷することがなく、開閉体の巻き形状の安定化も図ることができる。
【００１５】
請求項３記載の開閉装置によれば、抜止め体を開閉体の挿入部の袋状部分内にその抜止め体の略全体が覆われるように収容したため、抜止め体の保護を図ることができる。
【００１６】
請求項４記載の開閉装置によれば、抜止め体を開閉体の挿入部の貫通孔に通すことにより抜止め体を開閉体の挿入部に沿って容易に設けることができる。
【発明を実施するための最良の形態】
【００１７】
本発明の開閉装置の一実施の形態を図面を参照して説明する。
【００１８】
図１ないし図６において、１は開閉装置で、この開閉装置１は、例えば火災が発生した際に開口部（例えばエレベータ前の空間部）２を閉鎖して延焼を防止する耐火スクリーン装置である。
【００１９】
開閉装置１は、互いに離間対向して位置する上下方向長手状の左右一対の案内体（ガイドレール）３を備えている。
【００２０】
そして、両案内体３の上端部間には、左右方向長手状で略箱状の収容ケース体４が配設されている。収容ケース体４内には、左右方向長手状で略円筒状をなす巻体である巻取ドラム５が左右方向の軸線を中心として回転可能に配設されている。
【００２１】
また、開閉装置１は、開口部２の開口時に巻取ドラム５に巻戻し自在に巻き取られ、挿入部６を左右の両側端部に有し、巻取ドラム５の回転に応じて開口部２に沿って昇降してこの開口部２を開閉する昇降可能な略矩形状の可撓性の開閉体であるスクリーン体７を備えている。
【００２２】
スクリーン体７は、例えばガラスクロス、シリカクロス等からなる不燃性の布地にて構成されたもので、このスクリーン体７の上端部が巻取ドラム５の外面部に取り付けられ、スクリーン体７の左右の両側端部が案内体３内に挿入される挿入部６となっている。そして、各挿入部６は、スクリーン体７の側端が折り返されて形成された袋状部分８を有している。
【００２３】
また、スクリーン体７の下端部には、開口部２の閉鎖時に床面等の被当接部に当接する左右方向長手状の当接部である重錘体（座板）９が取り付けられている。重錘体９は、例えば不燃性の金属材料にて構成されたもので、この重錘体９の長手方向両端部には案内体３内に挿入される略板状の挿入板部10が形成されている。
【００２４】
そして、スクリーン体７の各挿入部６には、開口部２の開口時に巻取ドラム５に挿入部６とともに巻戻し自在に巻き取られる長手状の可撓性の抜止め体である抜止めワイヤ11が挿入部６に沿ってこの挿入部６の全長にわたって設けられている。
【００２５】
抜止めワイヤ11は、例えば断面円形のもので、スクリーン体７の挿入部６の袋状部分８内にその抜止めワイヤ11の略全体が覆われるように収容されている。すなわち、抜止めワイヤ11は挿入部６の袋状部分８内に挿入され、抜止めワイヤ11の上端部が巻取ドラム５の端部外面部に固定され、抜止めワイヤ11の下端部が重錘体９の挿入板部10の上部に固定されている。
【００２６】
一方、スクリーン体７の昇降時に挿入部６が挿入された状態でスクリーン体７を開口部２に沿って案内する各案内体３は、開口部２の閉鎖時にスクリーン体７の撓みに基づいて抜止めワイヤ11と係脱自在に係合して挿入部６の案内体３内からの抜出しを防止する上下方向長手状の係合受け部13を有している。
【００２７】
係合受け部13は、例えば所定の挿通間隙14を介して互いに離間対向した断面Ｌ字状の突部15にて構成されている。各突部15は、案内体３の断面コ字状の案内本体部16の開口部２側の各端部内面側に一体に突設されている。
【００２８】
なお、抜止めワイヤ11の直径は、抜止めワイヤ11がスクリーン体７の撓みに基づいて開口部２側に移動しても挿通間隙14を通過しないように、スクリーン体７および重錘体９がそれぞれ挿通される挿通間隙14の前後寸法より大きい値となっている（図６参照）。また、抜止めワイヤ11は、開口部２の閉鎖時であってスクリーン体７が風圧等にて加圧される前の状態時には、案内体３内において係合受け部13から離れて位置するようになっている（図４参照）。
【００２９】
次に、上記開閉装置１の作用等について説明する。
【００３０】
例えば火災が発生すると、スクリーン体７が重錘体９の重量によりスムーズに自重下降し、重錘体９が床面等の被当接部に当接し、開口部２が閉鎖される。このとき、スクリーン体７の両側に位置する左右一対の抜止めワイヤ11は、スクリーン体７とともに巻取ドラム５から巻き戻される。
【００３１】
この開口部２の閉鎖時において、例えば熱風による風圧がスクリーン体７に作用すると、スクリーン体７は、その幅方向中央側ほど一方側に膨出するように撓む。
【００３２】
そして、スクリーン体７が風圧で撓むと、スクリーン体７の挿入部６が開口部２側に向って移動し、抜止めワイヤ11が袋状部分８を介して案内体３の係合受け部13と当接係合し、この当接係合により挿入部６の案内体３内からの抜出しが防止される。
【００３３】
なお、開口部２を開口させる場合は、巻取ドラム５をスクリーン体７の巻取り方向に回転させることで、スクリーン体７を重錘体９および抜止めワイヤ11とともに上昇させ、スクリーン体７および抜止めワイヤ11を巻取ドラム５に巻き取らせる。
【００３４】
このように、開閉装置１によれば、スクリーン体７の加圧時において長手状の抜止めワイヤ11が案内体３の係合受け部13と係合した際にスクリーン体７に対して無理な力が局部的に作用するようなことがなく、スクリーン体７に対する力は挿入部６の全長にわたって分散される。このため、抜止めワイヤ11にて挿入部６の案内体３内からの抜出しを防止できるばかりでなく、従来のような抜止めボルトを用いた場合に比べて、スクリーン体７の破れ等の損傷を適切に防止できる。
【００３５】
また、巻取ドラム５による巻取りの際に抜止めワイヤ11にてスクリーン体７を損傷することもなく、スクリーン体７の巻き形状の安定化も図ることができ、巻き径の増大化を防止できる。
【００３６】
さらに、開閉装置１は、スクリーン体７の上端部には巻取ドラム５が上端部の全長にわたって設けられ、スクリーン体７の下端部には重錘体９が下端部の全長にわたって設けられ、スクリーン体７の左右側端部には抜止めワイヤ11が側端部の全長にわたって設けられ、かつ各抜止めワイヤ11の上下端部が巻取ドラム５および重錘体９にそれぞれ固定された構成であるから、抜止めワイヤ11が突っ張ること等によって、加圧時のスクリーン体７の撓みを抑制でき、開口部２の閉鎖状態を適切に維持できる。
【００３７】
なお、開閉装置１は、抜止めワイヤ11を挿入部６の袋状部分８内に挿入したものには限定されず、例えば図７に示すように、抜止めワイヤ11を挿入部６に複数形成した貫通孔20に互いに違いに挿入したもの等でもよい。すなわち例えば長手状の抜止め体（抜止めワイヤ11）は、挿入部６に互いに間隔をおいて上下方向に並設された鳩目等による円形状の貫通孔20を通ってスクリーン体７の一面側（前面側）および他面側（後面側）に交互に位置するように配設されたもの等でもよい。そして、このような構成にした場合、抜止め体を容易に配設、交換等することができる。
【００３８】
また、挿入部６の案内体３内からの抜出しを防止するための長手状の抜止め体は、抜止めワイヤ11には限定されず、例えばベルト、紐、ロープ等にて構成したもの等でもよい。
【００３９】
さらに、挿入部６の袋状部分８内に１本の長手状の抜止め体を挿入した構成には限定されず、挿入部６の袋状部分８内に複数本の長手状の抜止め体を挿入するようにしてもよく、或いは、１つの挿入部６に複数の袋状部分を形成し、それらの袋状部分の各々に長手状の抜止め体を挿入するようにしてもよい。
【００４０】
また、長手状の抜止め体は、挿入部６に沿ってこの挿入部６の全長にわたって設けることが好ましいが、例えば挿入部６の下半部のみに設けるようにしてもよい。
【００４１】
さらに、左右の抜止めワイヤ11には、常に適度な緊張力が付与されて上下方向に突っ張らせることで、巻取ドラム５、重錘体９との四方でスクリーン体７にテンションを掛け、非加圧時で案内体３の係合受け部13と係合していない状態であってもスクリーン体７にある程度のテンションが掛かるようにして、スクリーン体７の撓みを防止するようにしてもよい。
【００４２】
また、開閉装置は、耐火スクリーン装置として説明したが、他のシャッタ装置やロールスクリーン装置等であってもよく、防火防煙性の有無も問わない。
【図面の簡単な説明】
【００４３】
【図１】本発明の開閉装置の一実施の形態を示す斜視図である。
【図２】同上開閉装置の部分斜視図である。
【図３】同上開閉装置の部分側面図である。
【図４】同上開閉装置の部分断面図である。
【図５】同上開閉装置の部分断面図である。
【図６】同上開閉装置の加圧時における部分断面図である。
【図７】本発明の開閉装置の他の実施の形態を示す部分斜視図である。
【符号の説明】
【００４４】
１    開閉装置
２    開口部
３    案内体
５    巻体である巻取ドラム
６    挿入部
７    開閉体であるスクリーン体
８    袋状部分
11    抜止め体である抜止めワイヤ
13    係合受け部
20    貫通孔
【図１】
2005126984.tif 000003
【図２】
2005126984.tif 000004
【図３】
2005126984.tif 000005
【図４】
2005126984.tif 000006
【図５】
2005126984.tif 000007
【図６】
2005126984.tif 000008
【図７】
2005126984.tif 000009